(57)【要約】      （修正有）【課題】メニュの表示位置を上下左右の方向キーの操作に応じて、画面上の上下左右端のいずれかに表示し、また同様の操作で表示位置を変更可能とすることで、映像の視認性の向上を図った電子機器を提供する。【解決手段】上下左右の各方向を示す方向指示部１７の操作によって、操作された方向を判断する方向判断手段３を備え、メニュの表示が画面上に無い状態で方向指示部１７の操作がなされた時、方向判断手段３の判断結果に応じた画面上の上下左右端の位置にメニュを表示し、映像がメニュの表示で隠れてしまうことを少なくして、映像の視認性を向上させる。【選択図】図１
0003166344.tif 000002
【実用新案登録請求の範囲】
【請求項１】
メニュを表示する表示制御部と、上下左右の各方向を示す方向指示部と、前記方向指示部が操作された方向を判断する方向判断手段を備え、メニュの表示が無い場合、前記方向指示部の操作でメニュを表示する事を特徴とする電子機器。
【請求項２】
前記方向判断手段の判断結果に応じてメニュの表示位置を決定する表示位置決定手段を備え、前記方向判断手段の判断結果による方向と、表示するメニュの表示位置とが同一である事を特徴とする請求項１に記載の電子機器。
【請求項３】
メニュの表示位置を、前記方向判断手段の判断結果に応じて切り替える事が可能な表示位置切り替え手段を備えた事を特徴とする請求項1〜２に記載の電子機器。
【請求項４】
メニュを表示する表示制御部と、上下左右の各方向を示す方向指示部と、前記方向指示部が操作された方向を判断する方向判断手段を備え、メニュの表示が無い場合、前記方向指示部の操作でメニュの表示を行い、メニュで選択される項目の階層に構成された設定項目表示を、メニュの表示位置に対向する位置に表示する事を特徴とする電子機器。
【考案の詳細な説明】
【技術分野】
【０００１】
本考案は、メニュの表示が可能な電子機器に関する。
【背景技術】
【０００２】
テレビ等の放送受信装置やブルーレイ等の記録／再生装置、携帯電話等の移動体通信機器、画面に映像を表示することが可能な電子機器において、機能を使用する場合に設定項目を表示するメニュがある。そしてユーザは電子機器本体に設けられている操作部やリモコンの送信手段の操作によって、機能に対応した設定項目が選択可能である。
【０００３】
メニュを表示した場合、メニュが表示される領域の映像が隠れてしまい、特に映像の中央部が隠れてしまう場合がある。また映像を見せる為にメニュをハーフトーン等で薄くしても、メニュの項目が見づらくなってしまい、ユーザが不快に感じる事があった。
【０００４】
特許文献１の映像再生装置では、字幕とオンスクリーンディスプレイ（ＯＮ  ＳＣＲＥＥＮ  ＤＩＳＰＬＡＹ：以下ＯＳＤ）用文字列を同時に表示する場合、字幕である副映像データの位置を検出し、副映像データの位置と重ならないようにＯＳＤ用文字列表示位置を選択する事で、字幕とＯＳＤ用文字列が重ならず、視認性に優れた映像表示を可能とした事を特徴としている。
【０００５】
【特許文献１】特開２００２−０１６８８５号公報
【考案の概要】
【考案が解決しようとする課題】
【０００６】
特許文献１の表示装置は、字幕とＯＳＤ用文字列が重ならないようにしているがＯＳＤ用文字列と映像との重なりを考慮していない為、ＯＳＤ用文字列を表示した場合に、ＯＳＤ用文字列の表示位置によっては映像の中央部に重なり、隠れてしまう場合がある。
【０００７】
本考案の目的は、メニュを表示する場合、本体若しくは送信手段に設けた上下左右の方向を示す方向キー操作で画面上の上下左右端いずれかの位置に表示させ、また表示中のメニュを方向キーの操作に応じて上下左右端のいずれかの表示位置に変更可能とすることで、映像の中央部が表示したメニュで隠れないようにして映像の視認性を向上させる事を目的とする。
【課題を解決するための手段】
【０００８】
請求項１に係る電子機器は、メニュを表示する表示制御部と、上下左右の各方向を示す方向指示部と、前記方向指示部が操作された方向を判断する方向判断手段を備え、メニュの表示が無い場合、前記方向指示部の操作でメニュを表示する事を特徴とする。
【０００９】
請求項２に係る電子機器は、請求項１に記載の電子機器であって、前記方向判断手段の判断結果に応じてメニュの表示位置を決定する表示位置決定手段を備え、前記方向判断手段の判断結果による方向と、表示するメニュの表示位置とが同一である事を特徴とする。
【００１０】
請求項３に係る電子機器は、請求項１〜２に記載の電子機器であって、メニュの表示位置を、前記方向判断手段の判断結果に応じて切り替える事が可能な表示位置切り替え手段を備えた事を特徴とする。
【００１１】
請求項４に係る電子機器は、メニュを表示する表示制御部と、上下左右の各方向を示す方向指示部と、前記方向指示部が操作された方向を判断する方向判断手段を備え、メニュの表示が無い場合、前記方向指示部の操作でメニュの表示を行い、メニュで選択される項目の階層に構成された設定項目表示を、メニュの表示位置に対向する位置に表示する事を特徴とする。
【考案の効果】
【００１２】
請求項１の考案によれば、本体若しくは送信手段に設けた上下左右の各方向を示す方向指示部である方向キーの操作でメニュの表示が可能である為、メニュキーの操作以外でもメニュの表示が行え、使い勝手が向上する。
【００１３】
請求項２の考案によれば、本体若しくは送信手段に設けた上下左右の方向指示部が操作されると、その方向を判断し、判断結果と同様な画面上の上下左右端のいずれかの位置にメニュを表示する為、映像の中央部が隠れないようメニュの表示が出来、映像の視認性の向上が図れる。また方向指示部からの方向と画面上の上下左右端のメニュの表示位置が同一である為、ユーザは感覚的に表示位置を指定出来、操作性の向上が図れる
【００１４】
請求項３の考案によれば、本体若しくは送信手段に設けた上下左右の方向指示部である方向キーによる操作で、メニュの表示後も画面に表示されるメニュの表示位置が変更可能な為、映像の動きによってメニュの表示位置を変更して、映像の視認性の向上が図れる。
【００１５】
請求項４の考案によれば、メニュで表示された各項目の階層に形成される設定項目の表示は、メニュの表示位置と対向する位置に表示されるため、メニュの各項目と項目の階層に構成される設定項目が同一画面上で確認可能であり、操作性の向上が図れる。
【００１６】
このようにメニュの表示を行う場合、方向指示部である方向キーの操作で、操作された方向キーの方向を判断し方向に応じた画面上の上下左右端のいずれかの表示位置にメニュの表示を可能とし、また表示位置の変更も行える為、ユーザフレンドリかつ映像の視認性の向上が図れる。
【図面の簡単な説明】
【００１７】
【図１】本考案の実施例におけるブロック図である。
【図２】本考案の従来技術における実施例である。
【図３】本考案の従来技術における実施例である。
【図４】本考案の実施例における画面上部にメニュが表示された図である。
【図５】本考案の実施例における画面下部にメニュが表示された図である。
【図６】本考案の実施例における画面左部にメニュが表示された図である。
【図７】本考案の実施例における画面右部にメニュが表示された図である。
【図８】本考案の実施例におけるメニュの表示と設定項目が表示された図である。
【図９】本考案の実施例におけるフローチャート図である。
【図１０】本考案の従来技術における実施例である。
【図１１】本考案の実施例におけるメニュの表示を次項切り替えて表示した場合の図である。
【考案を実施するための形態】
【００１８】
図１から図１１を参照して本考案の実施形態を説明する。なお、本考案はその主旨に反しない範囲で、実施例において説明した構成以外に対しても適用可能である。
【００１９】
図２と図１０は本考案の従来技術におけるメニュの表示方法である。番組視聴中にリモコン等の送信手段による操作でメニュを表示すると図２、図１０で示すようなメニュ２０、メニュ２８が表示され、映像がメニュ２０、メニュ２８で隠れてしまい視認性が悪い。特に映像の主要な部分である中央部がメニュの表示で隠れてしまう。また図３の従来技術のようにメニュを半透明状態にしたハーフトーン表示２１を表示させると、映像の視認性は図２の表示の場合より多少向上するがハーフトーン表示２１の文字も映像の色や動きと重なる事や、文字色自体が薄い為、映像も文字も見づらく、視認性が確実に向上しているとは言いがたい。
【００２０】
図１は、本考案の実施例におけるブロック図であり、同図で示すように、電子機器１６はアンテナを介して放送信号を受信する受信手段１と、制御手段２、方向判断手段３、表示制御手段４、メニュ検出手段５、表示位置決定手段６、表示切り替え制御手段７、送信手段９、受光手段１４で構成される。
【００２１】
送信手段９は、例えばリモコンであって、視聴する番組のチャンネル切り替えやメニュの表示操作、表示されたメニュ内の各項目を選択する為のカーソルを移動させる操作、電子機器１６の電源オン、オフの操作等各操作が可能であり、操作に応じて無線信号を送信する。送信手段９から送信された無線信号を受光手段１４で受信し、受信された信号は制御手段２にて電子機器１６の各動作、各処理等の制御を行う。方向指示部１７は、上方向キー１０、下方向キー１２、左方向キー１１、右方向キー１３の各方向キーを備え、方向指示部１７の操作によって、表示されたメニュ内の各項目を選択するカーソルの移動が行える。
【００２２】
方向判断手段３では送信手段９から方向指示部１７の操作があった場合、上方向キー１０、下方向キー１２、左方向キー１１、右方向キー１３の、どの方向キーの操作かを判断する。
【００２３】
メニュ検出手段５では、現在、メニュの表示があるか否かを検出する。
【００２４】
表示位置決定手段６では、方向判断手段３による方向の判断結果に応じて、画面上の上下左右端のいずれかの位置をメニュの表示位置として指定し、メニュを表示させる。
【００２５】
表示切り替え制御手段７では方向指示部１７の操作でメニュが表示され、表示位置が確定していなければ、再度方向指示部１７の操作により方向判断手段３の判断結果に応じてメニュの表示位置を再指定し、表示位置を切り替え変更して表示する制御を行う。すなわち、メニュの表示が無い状態から方向指示部１７の操作がなされると、方向判断手段３からの方向の判断結果に応じて図４、図５、図６、図７のようにメニュの表示位置を指定し表示させた後、表示位置の確定前であれば再度方向指示部１７の操作によってメニュの表示位置を任意に切り替えて変更する事が可能となる。表示位置の確定は送信手段９の確定キーで行えばよい。
【００２６】
表示制御手段４は、表示手段１５への映像やメニュの表示、字幕等を映像に重ねて表示する表示制御、本考案の方向指示部１７の操作に応じてメニュの表示の表示制御を行う。表示手段１５は液晶、プラズマ、有機ＥＬ、ブラウン管等の表示装置や記録再生装置との一体型表示装置、表示可能な外部接続機器等、映像表示が可能な電子機器であれば何でもよい。
【００２７】
制御手段２は受光手段１４から入力された送信手段９のキーコードを判断し、電子機器１６の各動作の制御を行う。本考案においては方向判断手段３や表示制御手段４、メニュ検出手段５、表示位置決定手段６、表示切り替え手段７等の各制御を行う。またメモリ等の記憶手段８への各データの書き込み、読み込み等の制御も行う。
【００２８】
記憶手段８には電子機器の選局済のチャンネル、映像調整等の各調整値やユーザの設定値、電子機器の初期設定等を記憶する。
【００２９】
図４は、本考案の上方向メニュ２２を画面の上部に表示した図である。従来は図２、図１０のメニュ２０やメニュ２８若しくは図３のハーフトーン表示２１を行うが、本考案は図４の（ａ）のように番組視聴中、送信手段９の方向指示部１７の上方向キー１０の操作を行えば、図４の（ｂ）の表示位置に上方向メニュ２２が表示される。この表示位置を確定する場合は、送信手段９の確定キーの押下げにより確定すればよい。具体的には、同図に示すように、番組視聴中に映像の上部が例えば背景の空の映像部分であって、ＯＳＤ表示等で映像が隠れても視聴上特に問題が無い場合、送信手段９の上方向キー１０の押下げによって、表示手段１５の画面の上端部３２の位置に上方向メニュ２２が表示され、映像の中央部のユーザが視聴を希望する部分を隠すことなく映像とメニュの表示が行える。上方向メニュ２２の表示方法としては、図２や図３、図１０で表示されているメニュの項目を図４（ｂ）で示すように各々一つの項目として枠４０で囲み、横方向に並べて表示する方法でよく、枠の面積や文字の大きさ等は任意に設定可能としてもよい。図１０のように項目の数によっては枠４０の数を増やし、全ての項目が一度に表示出来なくても上方向メニュ２２の表示位置で確定後、図１１のように項目の選択操作で枠４０がページを切り替えるように次項表示を行うようにすればよい。図４（ｂ）の上方向メニュ２２の表示位置が確定前であるなら、再度方向指示部１７の操作によって表示位置を切り替えて変更可能であり、操作された方向指示部１７の方向に応じた表示位置の変更が行える。上方向メニュ２２の表示位置で確定すれば、後に説明する図８で示すように、上方向メニュ２２内の項目の階層に構成される設定項目表示を同一画面に行い、詳細な設定項目の選択が可能となる。
【００３０】
設定項目表示について、メニュ内の各項目と階層の構成について説明する。電子機器の機能は多種多様化しており、機能を設定する際に選択される項目も複数ある為、メニュは上位や下位の階層を構成して連なる表示方法で表示されるようになっている。すなわちユーザがメニュ内の項目で上位の階層を構成する複数の項目の中から任意の項目を選択して確定すると、その確定された項目に対応した複数の下位の階層を構成する設定項目表示が表示される。このように上位の階層から下位の階層に向かって表示するメニュを次々に切り替えて項目を選択する方法が、階層に構成されたメニュの表示であり、その下位の階層のメニュ内の項目を設定項目表示とする。
【００３１】
図５は、本考案の下方向メニュ２３を画面の下部に表示した図である。図５の（ａ）において番組視聴中、送信手段９の方向指示部１７の下方向キー１２の操作を行えば、図５（ｂ）の表示位置に下方向メニュ２３が表示される。この表示位置を確定する場合は、送信手段９の確定キー等の押下げにより確定すればよい。具体的には、同図に示すように、番組視聴中に映像の下部が例えば背景の海の映像部分であって、ＯＳＤ表示等で映像が隠れても視聴上特に問題が無い場合、送信手段９の下方向キー１２の押下げによって、表示手段１５の画面の下端部３３の位置に下方向メニュ２３が表示され、映像の中央部のユーザが視聴を希望する部分を隠すことなく映像とメニュの表示が行える。下方向メニュ２３の表示方法としては、上方向メニュ２２と同様である。この図５の（ｂ）の表示位置が確定前であれば、再度方向指示部１７の操作により表示位置を切り替えて変更が可能であり、操作された方向指示部１７の方向に応じた表示位置の変更が行える。下方向メニュ２３の表示位置で確定後は上方向メニュ２２と同様、下方向メニュ２３内の階層に構成される設定項目表示を同一画面に行い、詳細な設定項目の選択が可能となる。
【００３２】
図６は、本考案の左方向メニュ２４を画面の左部に表示した図である。図６の（ａ）において番組視聴中、送信手段９の方向指示部１７の左方向キー１１の操作を行えば、図６（ｂ）の表示位置に左方向メニュ２４が表示される。この表示位置を確定する場合は、送信手段９の確定キー等の押下げにより確定すればよい。具体的には、同図に示すように、例えば番組視聴中に映像の左部が例えば動画の部分が無くＯＳＤ表示等で映像が隠れても視聴上特に問題が無い場合、送信手段９の左方向キー１１の押下げによって、表示手段１５の画面の左端部３４の位置に左方向メニュ２４が表示され、映像の中央部のユーザが視聴を希望する部分を隠すことなく映像とメニュの表示が行える。メニュ２４の表示方法としては、上方向メニュ２２、下方向メニュ２３と同様である。この図６（ｂ）の表示位置が確定前であれば、再度方向指示部１７の操作により表示位置を切り替えて変更が可能であり、入力された方向指示部１７の方向に応じた表示位置の変更が行える。左方向メニュ２４の表示位置で確定後は上方向メニュ２２、下方向メニュ２３と同様、左方向メニュ２４内の階層に構成される設定項目表示を同一画面に行い、詳細な設定項目の選択が可能となる。
【００３３】
図７は、本考案の右方向メニュ２５を画面の右部に表示した図である。図７の（ａ）において番組視聴中、送信手段９の方向指示部１７の右方向キー１３の操作を行えば、図７（ｂ）の表示位置に右方向メニュ２５が表示される。この表示位置を確定する場合は、送信手段９の確定キー等の押下げにより確定すればよい。具体的には、同図に示すように、番組視聴中に映像の右部が例えば動画の部分が無くＯＳＤ表示等で映像が隠れても視聴上特に問題が無い場合、送信手段９の右方向キー１３の押下げによって、表示手段１５の画面の右端部３５の位置にメニュ２５が表示され、映像の中央部のユーザが視聴を希望する部分を隠すことなく映像とメニュの表示が行える。右方向メニュ表示２５の表示方法としては、上方向メニュ２２、下方向メニュ２３、左方向メニュ２４と同様である。この図７（ｂ）の表示位置が確定前であれば、再度方向指示部１７の操作により表示位置を切り替えて変更が可能であり、操作された方向指示部１７の方向に応じた表示位置の変更が行える。右方向メニュ２５の表示位置で確定後は、上方向メニュ２２、下方向メニュ２３、左方向メニュ２４と同様、右向メニュ２５内の階層に構成される設定項目表示を行い、詳細な設定項目の選択が可能となる。
【００３４】
図８は、本考案のメニュの表示位置確定後の確定メニュ２６と、その確定メニュ２６の階層に構成された設定項目表示２７の両方を表示した図である。図４の（ｂ）のように画面の上端部３２の位置に上方向メニュ２２が表示され確定キーの操作で表示位置が確定されると、上方向メニュ２２内の項目選択が可能となる為、最初に選択可能となる項目として左端部の項目が他の項目と色分けされた確定メニュ２６のように表示される。その確定メニュ２６内の階層に構成され詳細な設定が可能な設定項目表示２７が、確定メニュ２６の表示位置に対向する位置に表示される。すなわち、確定メニュ２６が上方向に表示されれば、設定項目表示２７は下方向に表示し、確定メニュ２６が下方向に表示されれば設定項目表示２７は上方向に表示、確定メニュ２６が左方向に表示されれば、設定項目表示２７が右方向に表示され、確定メニュ２６が右方向に表示されれば、設定項目表示２７が左方向に表示される。項目については、上位の階層に構成される確定メニュ２６がチャンネル設定、映像設定、音声設定等の大まかな項目を示し、チャンネル設定の項目を選択した場合の下位の階層に構成される設定項目表示２７は、自動設定とかマニュアル設定となる。図８の例では、確定メニュ２６の映像設定の場合、設定項目表示２７は明るさ、輝度、コントラスト、色温度等の詳細な設定項目を示している。
【００３５】
以上のように図４から図８では、メニュの表示が送信手段９の方向指示部１７の操作で上下左右の方向に応じた画面上の上下左右端の表示位置への表示と、表示中のメニュの表示位置の変更も方向指示部１７により可能とすることで、感覚的な操作でメニュの表示が行え、映像の視聴を妨げることが少なく視認性の向上が図れる。
【００３６】
図９は、本考案の実施例におけるフローチャート図である。方向指示部１７の操作（ｓ−１）があると、メニュフラグがオフか否かを確認する（ｓ−２）。ここでメニュフラグを確認する意味は、メニュフラグがオフ（ｓ−２：ｙｅｓ）で、図４（ａ）、図５（ａ）、図６（ａ）、図７（ａ）のようにメニュの表示が無いならば、方向指示部１７の操作で図４（ｂ）、図５（ｂ）、図６（ｂ）、図７（ｂ）の各方向のいずれかの表示位置にメニュの表示を行うが、メニュフラグがオン（ｓ−２：ｙｅｓ）で、既に図４（ｂ）、図５（ｂ）、図６（ｂ）、図７（ｂ）のように各方向のいずれかの表示位置にメニュの表示が有るならば、方向指示部１７の操作は表示位置を切り替えて、表示位置の変更（ｓ−４）を可能とする為である。
【００３７】
メニュキーの操作でメニュが表示され（図２、図３）方向指示部１７の操作があった場合は、メニュフラグはオフ（ｓ−２：ｙｅｓ）であって、メニュも既に表示された状態での（ｓ−３：ｎｏ）方向指示部１７の操作となる為、メニュの表示位置を切り替えて変更する事ではなく、メニュ内の項目を選択する為にカーソルを移動させ切り替える操作になる（ｓ−６）。
【００３８】
メニュフラグがオフ（ｓ−２：ｙｅｓ）の場合は、メニュが画面上に表示されていないかを確認する（ｓ−３）。そしてメニュが表示されていなければ（ｓ−３：ｙｅｓ）、操作された方向指示部１７の方向を判断する（ｓ−５）。方向の判断結果、上方向（ｓ−８）なら上方向メニュ（ｓ−９）を表示し、下方向（ｓ−１０）なら下方向メニュ（ｓ−１１）を表示、左方向（ｓ−１２）なら左方向メニュ（ｓ−１３）を表示、右方向（ｓ−１４）なら右方向メニュ（ｓ−１５）を表示と、各方向に応じた画面上の上下左右端のいずれかの表示位置でメニュの表示を行う。
【００３９】
表示後はメニュフラグをオン（ｓ−１６）させ、前述のように再度方向指示部１７の操作が行われた場合にメニュフラグがオン（ｓ−２：ｙｅｓ）であるなら、方向指示部１７で操作された方向を再度判断し、判断結果に応じた画面上の上下左右端の表示位置に切り替えを可能とする。
メニュの表示位置が確定キーの操作で確定すれば（ｓ−１７）、メニュフラグをオフにして（ｓ−１８）、下位の階層に構成された設定項目選択の表示を行う（ｓ−１９）。
【００４０】
このようにユーザが希望するメニュの表示位置を方向指示部１７の操作によって方向に応じた画面上の上下左右端のいずれかの表示位置に表示し、また表示位置の変更も可能とすることで、視認性の向上と操作性の簡略化が図れる。
【００４１】
この方向指示部１７の操作による上方向メニュ２２、下方向メニュ２３、左方向メニュ２４、右方向メニュ２５の各々表示の解除は、メニュキーの操作で表示されたメニュ２０やハーフトーン表示２１の解除と同様な方法でよく、表示有効の時間設定を行い、その時間切れで表示を解除するとか、戻りキー等で解除する、設定項目を選択して設定終了時に解除等で表示を解除し終了すればよい。
【００４２】
なお、本考案の電子機器において、各方向のメニュの表示の形状や大きさ及び枠、文字の形状や大きさ、色等は適宜変更可能であり、本実施例に限定するものではなく、本考案の主旨に反しない範囲において適宜選定すればよい。
【符号の説明】
【００４３】
１  受信手段
２  制御手段
３  方向判断手段
４  表示制御手段
５  メニュ検出手段
６  表示位置決定手段
７  表示切り替え手段
８  記憶手段
９  送信手段
１０  上方向キー
１１  左方向キー
１２  下方向キー
１３  右方向キー
１４  受光手段
１５  表示手段
１６  電子機器
１７  方向指示部
２０  メニュ
２１  ハーフトーン表示
２２  上方向メニュ
２３  下方向メニュ
２４  左方向メニュ
２５  右方向メニュ
２６  確定メニュ
２７  設定項目表示
２８  メニュ
３２  上端部
３３  下端部
３４  左端部
３５  右端部
４０  枠
【図１】
0003166344.tif 000003
【図２】
0003166344.tif 000004
【図３】
0003166344.tif 000005
【図４】
0003166344.tif 000006
【図５】
0003166344.tif 000007
【図６】
0003166344.tif 000008
【図７】
0003166344.tif 000009
【図８】
0003166344.tif 000010
【図９】
0003166344.tif 000011
【図１０】
0003166344.tif 000012
【図１１】
0003166344.tif 000013
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
メニュを表示する表示制御部と、上下左右の各方向を示す方向指示部と、前記方向指示部が操作された方向を判断する方向判断手段を備え、メニュの表示が無い場合、前記方向指示部の操作でメニュを表示する事を特徴とする電子機器。
【請求項２】
前記方向判断手段の判断結果に応じてメニュの表示位置を決定する表示位置決定手段を備え、前記方向判断手段の判断結果による方向と、表示するメニュの表示位置とが同一である事を特徴とする請求項１に記載の電子機器。
【請求項３】
メニュの表示位置を、前記方向判断手段の判断結果に応じて切り替える事が可能な表示位置切り替え手段を備えた事を特徴とする請求項1または２に記載の電子機器。
【請求項４】
メニュを表示する表示制御部と、上下左右の各方向を示す方向指示部と、前記方向指示部が操作された方向を判断する方向判断手段を備え、メニュの表示が無い場合、前記方向指示部の操作でメニュの表示を行い、メニュで選択される項目の階層に構成された設定項目表示を、メニュの表示位置に対向する位置に表示する事を特徴とする電子機器。
【手続補正２】
【補正対象書類名】明細書
【補正対象項目名】全文
【補正方法】変更
【補正の内容】
【考案の詳細な説明】
【技術分野】
【０００１】
本考案は、メニュの表示が可能な電子機器に関する。
【背景技術】
【０００２】
テレビ等の放送受信装置やブルーレイ等の記録／再生装置、携帯電話等の移動体通信機器、画面に映像を表示することが可能な電子機器において、機能を使用する場合に設定項目を表示するメニュがある。そしてユーザは電子機器本体に設けられている操作部やリモコンの送信手段の操作によって、機能に対応した設定項目が選択可能である。
【０００３】
メニュを表示した場合、メニュが表示される領域の映像が隠れてしまい、特に映像の中央部が隠れてしまう場合がある。また映像を見せる為にメニュをハーフトーン等で薄くしても、メニュの項目が見づらくなってしまい、ユーザが不快に感じる事があった。
【０００４】
特許文献１の映像再生装置では、字幕とオンスクリーンディスプレイ（ＯＮ  ＳＣＲＥＥＮ  ＤＩＳＰＬＡＹ：以下ＯＳＤ）用文字列を同時に表示する場合、字幕である副映像データの位置を検出し、副映像データの位置と重ならないようにＯＳＤ用文字列表示位置を選択する事で、字幕とＯＳＤ用文字列が重ならず、視認性に優れた映像表示を可能とした事を特徴としている。
【０００５】
【特許文献１】特開２００２−０１６８８５号公報
【考案の概要】
【考案が解決しようとする課題】
【０００６】
特許文献１の表示装置は、字幕とＯＳＤ用文字列が重ならないようにしているがＯＳＤ用文字列と映像との重なりを考慮していない為、ＯＳＤ用文字列を表示した場合に、ＯＳＤ用文字列の表示位置によっては映像の中央部に重なり、隠れてしまう場合がある。
【０００７】
本考案の目的は、メニュを表示する場合、本体若しくは送信手段に設けた上下左右の方向を示す方向キー操作で画面上の上下左右端いずれかの位置に表示させ、また表示中のメニュを方向キーの操作に応じて上下左右端のいずれかの表示位置に変更可能とすることで、映像の中央部が表示したメニュで隠れないようにして映像の視認性を向上させる事を目的とする。
【課題を解決するための手段】
【０００８】
請求項１に係る電子機器は、メニュを表示する表示制御部と、上下左右の各方向を示す方向指示部と、前記方向指示部が操作された方向を判断する方向判断手段を備え、メニュの表示が無い場合、前記方向指示部の操作でメニュを表示する事を特徴とする。
【０００９】
請求項２に係る電子機器は、請求項１に記載の電子機器であって、前記方向判断手段の判断結果に応じてメニュの表示位置を決定する表示位置決定手段を備え、前記方向判断手段の判断結果による方向と、表示するメニュの表示位置とが同一である事を特徴とする。
【００１０】
請求項３に係る電子機器は、請求項１または２に記載の電子機器であって、メニュの表示位置を、前記方向判断手段の判断結果に応じて切り替える事が可能な表示位置切り替え手段を備えた事を特徴とする。
【００１１】
請求項４に係る電子機器は、メニュを表示する表示制御部と、上下左右の各方向を示す方向指示部と、前記方向指示部が操作された方向を判断する方向判断手段を備え、メニュの表示が無い場合、前記方向指示部の操作でメニュの表示を行い、メニュで選択される項目の階層に構成された設定項目表示を、メニュの表示位置に対向する位置に表示する事を特徴とする。
【考案の効果】
【００１２】
請求項１の考案によれば、本体若しくは送信手段に設けた上下左右の各方向を示す方向指示部である方向キーの操作でメニュの表示が可能である為、メニュキーの操作以外でもメニュの表示が行え、使い勝手が向上する。
【００１３】
請求項２の考案によれば、本体若しくは送信手段に設けた上下左右の方向指示部が操作されると、その方向を判断し、判断結果と同様な画面上の上下左右端のいずれかの位置にメニュを表示する為、映像の中央部が隠れないようメニュの表示が出来、映像の視認性の向上が図れる。また方向指示部からの方向と画面上の上下左右端のメニュの表示位置が同一である為、ユーザは感覚的に表示位置を指定出来、操作性の向上が図れる
【００１４】
請求項３の考案によれば、本体若しくは送信手段に設けた上下左右の方向指示部である方向キーによる操作で、メニュの表示後も画面に表示されるメニュの表示位置が変更可能な為、映像の動きによってメニュの表示位置を変更して、映像の視認性の向上が図れる。
【００１５】
請求項４の考案によれば、メニュで表示された各項目の階層に形成される設定項目の表示は、メニュの表示位置と対向する位置に表示されるため、メニュの各項目と項目の階層に構成される設定項目が同一画面上で確認可能であり、操作性の向上が図れる。
【００１６】
このようにメニュの表示を行う場合、方向指示部である方向キーの操作で、操作された方向キーの方向を判断し方向に応じた画面上の上下左右端のいずれかの表示位置にメニュの表示を可能とし、また表示位置の変更も行える為、ユーザフレンドリかつ映像の視認性の向上が図れる。
【図面の簡単な説明】
【００１７】
【図１】本考案の実施例におけるブロック図である。
【図２】本考案の従来技術における実施例である。
【図３】本考案の従来技術における実施例である。
【図４】本考案の実施例における画面上部にメニュが表示された図である。
【図５】本考案の実施例における画面下部にメニュが表示された図である。
【図６】本考案の実施例における画面左部にメニュが表示された図である。
【図７】本考案の実施例における画面右部にメニュが表示された図である。
【図８】本考案の実施例におけるメニュの表示と設定項目が表示された図である。
【図９】本考案の実施例におけるフローチャート図である。
【図１０】本考案の従来技術における実施例である。
【図１１】本考案の実施例におけるメニュの表示を次項切り替えて表示した場合の図である。
【考案を実施するための形態】
【００１８】
図１から図１１を参照して本考案の実施形態を説明する。なお、本考案はその主旨に反しない範囲で、実施例において説明した構成以外に対しても適用可能である。
【００１９】
図２と図１０は本考案の従来技術におけるメニュの表示方法である。番組視聴中にリモコン等の送信手段による操作でメニュを表示すると図２、図１０で示すようなメニュ２０、メニュ２８が表示され、映像がメニュ２０、メニュ２８で隠れてしまい視認性が悪い。特に映像の主要な部分である中央部がメニュの表示で隠れてしまう。また図３の従来技術のようにメニュを半透明状態にしたハーフトーン表示２１を表示させると、映像の視認性は図２の表示の場合より多少向上するがハーフトーン表示２１の文字も映像の色や動きと重なる事や、文字色自体が薄い為、映像も文字も見づらく、視認性が確実に向上しているとは言いがたい。
【００２０】
図１は、本考案の実施例におけるブロック図であり、同図で示すように、電子機器１６はアンテナを介して放送信号を受信する受信手段１と、制御手段２、方向判断手段３、表示制御手段４、メニュ検出手段５、表示位置決定手段６、表示切り替え制御手段７、送信手段９、受光手段１４で構成される。
【００２１】
送信手段９は、例えばリモコンであって、視聴する番組のチャンネル切り替えやメニュの表示操作、表示されたメニュ内の各項目を選択する為のカーソルを移動させる操作、電子機器１６の電源オン、オフの操作等各操作が可能であり、操作に応じて無線信号を送信する。送信手段９から送信された無線信号を受光手段１４で受信し、受信された信号は制御手段２にて電子機器１６の各動作、各処理等の制御を行う。方向指示部１７は、上方向キー１０、下方向キー１２、左方向キー１１、右方向キー１３の各方向キーを備え、方向指示部１７の操作によって、表示されたメニュ内の各項目を選択するカーソルの移動が行える。
【００２２】
方向判断手段３では送信手段９から方向指示部１７の操作があった場合、上方向キー１０、下方向キー１２、左方向キー１１、右方向キー１３の、どの方向キーの操作かを判断する。
【００２３】
メニュ検出手段５では、現在、メニュの表示があるか否かを検出する。
【００２４】
表示位置決定手段６では、方向判断手段３による方向の判断結果に応じて、画面上の上下左右端のいずれかの位置をメニュの表示位置として指定し、メニュを表示させる。
【００２５】
表示切り替え制御手段７では方向指示部１７の操作でメニュが表示され、表示位置が確定していなければ、再度方向指示部１７の操作により方向判断手段３の判断結果に応じてメニュの表示位置を再指定し、表示位置を切り替え変更して表示する制御を行う。すなわち、メニュの表示が無い状態から方向指示部１７の操作がなされると、方向判断手段３からの方向の判断結果に応じて図４、図５、図６、図７のようにメニュの表示位置を指定し表示させた後、表示位置の確定前であれば再度方向指示部１７の操作によってメニュの表示位置を任意に切り替えて変更する事が可能となる。表示位置の確定は送信手段９の確定キーで行えばよい。
【００２６】
表示制御手段４は、表示手段１５への映像やメニュの表示、字幕等を映像に重ねて表示する表示制御、本考案の方向指示部１７の操作に応じてメニュの表示の表示制御を行う。表示手段１５は液晶、プラズマ、有機ＥＬ、ブラウン管等の表示装置や記録再生装置との一体型表示装置、表示可能な外部接続機器等、映像表示が可能な電子機器であれば何でもよい。
【００２７】
制御手段２は受光手段１４から入力された送信手段９のキーコードを判断し、電子機器１６の各動作の制御を行う。本考案においては方向判断手段３や表示制御手段４、メニュ検出手段５、表示位置決定手段６、表示切り替え手段７等の各制御を行う。またメモリ等の記憶手段８への各データの書き込み、読み込み等の制御も行う。
【００２８】
記憶手段８には電子機器の選局済のチャンネル、映像調整等の各調整値やユーザの設定値、電子機器の初期設定等を記憶する。
【００２９】
図４は、本考案の上方向メニュ２２を画面の上部に表示した図である。従来は図２、図１０のメニュ２０やメニュ２８若しくは図３のハーフトーン表示２１を行うが、本考案は図４の（ａ）のように番組視聴中、送信手段９の方向指示部１７の上方向キー１０の操作を行えば、図４の（ｂ）の表示位置に上方向メニュ２２が表示される。この表示位置を確定する場合は、送信手段９の確定キーの押下げにより確定すればよい。具体的には、同図に示すように、番組視聴中に映像の上部が例えば背景の空の映像部分であって、ＯＳＤ表示等で映像が隠れても視聴上特に問題が無い場合、送信手段９の上方向キー１０の押下げによって、表示手段１５の画面の上端部３２の位置に上方向メニュ２２が表示され、映像の中央部のユーザが視聴を希望する部分を隠すことなく映像とメニュの表示が行える。上方向メニュ２２の表示方法としては、図２や図３、図１０で表示されているメニュの項目を図４（ｂ）で示すように各々一つの項目として枠４０で囲み、横方向に並べて表示する方法でよく、枠の面積や文字の大きさ等は任意に設定可能としてもよい。図１０のように項目の数によっては枠４０の数を増やし、全ての項目が一度に表示出来なくても上方向メニュ２２の表示位置で確定後、図１１のように項目の選択操作で枠４０がページを切り替えるように次項表示を行うようにすればよい。図４（ｂ）の上方向メニュ２２の表示位置が確定前であるなら、再度方向指示部１７の操作によって表示位置を切り替えて変更可能であり、操作された方向指示部１７の方向に応じた表示位置の変更が行える。上方向メニュ２２の表示位置で確定すれば、後に説明する図８で示すように、上方向メニュ２２内の項目の階層に構成される設定項目表示を同一画面に行い、詳細な設定項目の選択が可能となる。
【００３０】
設定項目表示について、メニュ内の各項目と階層の構成について説明する。電子機器の機能は多種多様化しており、機能を設定する際に選択される項目も複数ある為、メニュは上位や下位の階層を構成して連なる表示方法で表示されるようになっている。すなわちユーザがメニュ内の項目で上位の階層を構成する複数の項目の中から任意の項目を選択して確定すると、その確定された項目に対応した複数の下位の階層を構成する設定項目表示が表示される。このように上位の階層から下位の階層に向かって表示するメニュを次々に切り替えて項目を選択する方法が、階層に構成されたメニュの表示であり、その下位の階層のメニュ内の項目を設定項目表示とする。
【００３１】
図５は、本考案の下方向メニュ２３を画面の下部に表示した図である。図５の（ａ）において番組視聴中、送信手段９の方向指示部１７の下方向キー１２の操作を行えば、図５（ｂ）の表示位置に下方向メニュ２３が表示される。この表示位置を確定する場合は、送信手段９の確定キー等の押下げにより確定すればよい。具体的には、同図に示すように、番組視聴中に映像の下部が例えば背景の海の映像部分であって、ＯＳＤ表示等で映像が隠れても視聴上特に問題が無い場合、送信手段９の下方向キー１２の押下げによって、表示手段１５の画面の下端部３３の位置に下方向メニュ２３が表示され、映像の中央部のユーザが視聴を希望する部分を隠すことなく映像とメニュの表示が行える。下方向メニュ２３の表示方法としては、上方向メニュ２２と同様である。この図５の（ｂ）の表示位置が確定前であれば、再度方向指示部１７の操作により表示位置を切り替えて変更が可能であり、操作された方向指示部１７の方向に応じた表示位置の変更が行える。下方向メニュ２３の表示位置で確定後は上方向メニュ２２と同様、下方向メニュ２３内の階層に構成される設定項目表示を同一画面に行い、詳細な設定項目の選択が可能となる。
【００３２】
図６は、本考案の左方向メニュ２４を画面の左部に表示した図である。図６の（ａ）において番組視聴中、送信手段９の方向指示部１７の左方向キー１１の操作を行えば、図６（ｂ）の表示位置に左方向メニュ２４が表示される。この表示位置を確定する場合は、送信手段９の確定キー等の押下げにより確定すればよい。具体的には、同図に示すように、例えば番組視聴中に映像の左部が例えば動画の部分が無くＯＳＤ表示等で映像が隠れても視聴上特に問題が無い場合、送信手段９の左方向キー１１の押下げによって、表示手段１５の画面の左端部３４の位置に左方向メニュ２４が表示され、映像の中央部のユーザが視聴を希望する部分を隠すことなく映像とメニュの表示が行える。メニュ２４の表示方法としては、上方向メニュ２２、下方向メニュ２３と同様である。この図６（ｂ）の表示位置が確定前であれば、再度方向指示部１７の操作により表示位置を切り替えて変更が可能であり、入力された方向指示部１７の方向に応じた表示位置の変更が行える。左方向メニュ２４の表示位置で確定後は上方向メニュ２２、下方向メニュ２３と同様、左方向メニュ２４内の階層に構成される設定項目表示を同一画面に行い、詳細な設定項目の選択が可能となる。
【００３３】
図７は、本考案の右方向メニュ２５を画面の右部に表示した図である。図７の（ａ）において番組視聴中、送信手段９の方向指示部１７の右方向キー１３の操作を行えば、図７（ｂ）の表示位置に右方向メニュ２５が表示される。この表示位置を確定する場合は、送信手段９の確定キー等の押下げにより確定すればよい。具体的には、同図に示すように、番組視聴中に映像の右部が例えば動画の部分が無くＯＳＤ表示等で映像が隠れても視聴上特に問題が無い場合、送信手段９の右方向キー１３の押下げによって、表示手段１５の画面の右端部３５の位置にメニュ２５が表示され、映像の中央部のユーザが視聴を希望する部分を隠すことなく映像とメニュの表示が行える。右方向メニュ表示２５の表示方法としては、上方向メニュ２２、下方向メニュ２３、左方向メニュ２４と同様である。この図７（ｂ）の表示位置が確定前であれば、再度方向指示部１７の操作により表示位置を切り替えて変更が可能であり、操作された方向指示部１７の方向に応じた表示位置の変更が行える。右方向メニュ２５の表示位置で確定後は、上方向メニュ２２、下方向メニュ２３、左方向メニュ２４と同様、右向メニュ２５内の階層に構成される設定項目表示を行い、詳細な設定項目の選択が可能となる。
【００３４】
図８は、本考案のメニュの表示位置確定後の確定メニュ２６と、その確定メニュ２６の階層に構成された設定項目表示２７の両方を表示した図である。図４の（ｂ）のように画面の上端部３２の位置に上方向メニュ２２が表示され確定キーの操作で表示位置が確定されると、上方向メニュ２２内の項目選択が可能となる為、最初に選択可能となる項目として左端部の項目が他の項目と色分けされた確定メニュ２６のように表示される。その確定メニュ２６内の階層に構成され詳細な設定が可能な設定項目表示２７が、確定メニュ２６の表示位置に対向する位置に表示される。すなわち、確定メニュ２６が上方向に表示されれば、設定項目表示２７は下方向に表示し、確定メニュ２６が下方向に表示されれば設定項目表示２７は上方向に表示、確定メニュ２６が左方向に表示されれば、設定項目表示２７が右方向に表示され、確定メニュ２６が右方向に表示されれば、設定項目表示２７が左方向に表示される。項目については、上位の階層に構成される確定メニュ２６がチャンネル設定、映像設定、音声設定等の大まかな項目を示し、チャンネル設定の項目を選択した場合の下位の階層に構成される設定項目表示２７は、自動設定とかマニュアル設定となる。図８の例では、確定メニュ２６の映像設定の場合、設定項目表示２７は明るさ、輝度、コントラスト、色温度等の詳細な設定項目を示している。
【００３５】
以上のように図４から図８では、メニュの表示が送信手段９の方向指示部１７の操作で上下左右の方向に応じた画面上の上下左右端の表示位置への表示と、表示中のメニュの表示位置の変更も方向指示部１７により可能とすることで、感覚的な操作でメニュの表示が行え、映像の視聴を妨げることが少なく視認性の向上が図れる。
【００３６】
図９は、本考案の実施例におけるフローチャート図である。方向指示部１７の操作（ｓ−１）があると、メニュフラグがオフか否かを確認する（ｓ−２）。ここでメニュフラグを確認する意味は、メニュフラグがオフ（ｓ−２：ｙｅｓ）で、図４（ａ）、図５（ａ）、図６（ａ）、図７（ａ）のようにメニュの表示が無いならば、方向指示部１７の操作で図４（ｂ）、図５（ｂ）、図６（ｂ）、図７（ｂ）の各方向のいずれかの表示位置にメニュの表示を行うが、メニュフラグがオン（ｓ−２：ｙｅｓ）で、既に図４（ｂ）、図５（ｂ）、図６（ｂ）、図７（ｂ）のように各方向のいずれかの表示位置にメニュの表示が有るならば、方向指示部１７の操作は表示位置を切り替えて、表示位置の変更（ｓ−４）を可能とする為である。
【００３７】
メニュキーの操作でメニュが表示され（図２、図３）方向指示部１７の操作があった場合は、メニュフラグはオフ（ｓ−２：ｙｅｓ）であって、メニュも既に表示された状態での（ｓ−３：ｎｏ）方向指示部１７の操作となる為、メニュの表示位置を切り替えて変更する事ではなく、メニュ内の項目を選択する為にカーソルを移動させ切り替える操作になる（ｓ−６）。
【００３８】
メニュフラグがオフ（ｓ−２：ｙｅｓ）の場合は、メニュが画面上に表示されていないかを確認する（ｓ−３）。そしてメニュが表示されていなければ（ｓ−３：ｙｅｓ）、操作された方向指示部１７の方向を判断する（ｓ−５）。方向の判断結果、上方向（ｓ−８）なら上方向メニュ（ｓ−９）を表示し、下方向（ｓ−１０）なら下方向メニュ（ｓ−１１）を表示、左方向（ｓ−１２）なら左方向メニュ（ｓ−１３）を表示、右方向（ｓ−１４）なら右方向メニュ（ｓ−１５）を表示と、各方向に応じた画面上の上下左右端のいずれかの表示位置でメニュの表示を行う。
【００３９】
表示後はメニュフラグをオン（ｓ−１６）させ、前述のように再度方向指示部１７の操作が行われた場合にメニュフラグがオン（ｓ−２：ｙｅｓ）であるなら、方向指示部１７で操作された方向を再度判断し、判断結果に応じた画面上の上下左右端の表示位置に切り替えを可能とする。
メニュの表示位置が確定キーの操作で確定すれば（ｓ−１７）、メニュフラグをオフにして（ｓ−１８）、下位の階層に構成された設定項目選択の表示を行う（ｓ−１９）。
【００４０】
このようにユーザが希望するメニュの表示位置を方向指示部１７の操作によって方向に応じた画面上の上下左右端のいずれかの表示位置に表示し、また表示位置の変更も可能とすることで、視認性の向上と操作性の簡略化が図れる。
【００４１】
この方向指示部１７の操作による上方向メニュ２２、下方向メニュ２３、左方向メニュ２４、右方向メニュ２５の各々表示の解除は、メニュキーの操作で表示されたメニュ２０やハーフトーン表示２１の解除と同様な方法でよく、表示有効の時間設定を行い、その時間切れで表示を解除するとか、戻りキー等で解除する、設定項目を選択して設定終了時に解除等で表示を解除し終了すればよい。
【００４２】
なお、本考案の電子機器において、各方向のメニュの表示の形状や大きさ及び枠、文字の形状や大きさ、色等は適宜変更可能であり、本実施例に限定するものではなく、本考案の主旨に反しない範囲において適宜選定すればよい。
【符号の説明】
【００４３】
１  受信手段
２  制御手段
３  方向判断手段
４  表示制御手段
５  メニュ検出手段
６  表示位置決定手段
７  表示切り替え手段
８  記憶手段
９  送信手段
１０  上方向キー
１１  左方向キー
１２  下方向キー
１３  右方向キー
１４  受光手段
１５  表示手段
１６  電子機器
１７  方向指示部
２０  メニュ
２１  ハーフトーン表示
２２  上方向メニュ
２３  下方向メニュ
２４  左方向メニュ
２５  右方向メニュ
２６  確定メニュ
２７  設定項目表示
２８  メニュ
３２  上端部
３３  下端部
３４  左端部
３５  右端部
４０  枠